(57)【要約】  【課題】本発明は、アーチスト関連情報提供機能を備えるカラオケシステムに関し、利用者の愛好するアーチストに関する情報のみを提供可能として利用者の便に資することを目的とする。  【解決手段】利用者ＤＢより利用者別アーチスト登録リスト５６、アーチスト関連情報サイトリスト４６、利用者の所持する携帯情報端末１５の電子メールアドレスを含む登録情報５５を取得し、アーチスト関連情報サイト送信手段５２がアーチスト対応利用者特定手段５１で特定された選曲楽曲のアーチストを愛好アーチストとして利用者別アーチスト登録リスト５６に登録している現にログイン中の利用者の電子メールアドレスに対し、選曲楽曲のアーチストのアーチスト関連情報サイトリスト４６によるアーチスト関連情報サイトのアドレス情報を送信する構成とする。  【選択図】  図３
2009210663.tif 000002
【特許請求の範囲】
【請求項１】
所定の利用者が歌唱した楽曲のアーチストに関する情報を提供するアーチスト関連情報提供機能を備えるカラオケシステムであって、
利用者データベース、利用者ＩＤ取得部、利用者情報取得手段、アーチスト対応利用者特定手段及びアーチスト関連情報サイト送信手段を有するものであり、
前記利用者データベースは、少なくとも、愛好アーチスト登録手段により利用者毎に愛好アーチストが登録された利用者別アーチスト登録リストと、楽曲に附帯されているアーチスト毎に当該アーチストの関連情報が閲覧可能なサイトをリスト化したアーチスト関連情報サイトリストと、利用者毎に当該利用者の所持する携帯情報端末の電子メールアドレスを含む利用者情報とを備え、
前記利用者ＩＤ取得部は、ログイン要求の利用者より利用者ＩＤを取得し、
前記利用者情報取得手段は、取得した利用者ＩＤに基づいて、前記利用者データベースに登録されている前記電子メールアドレスを含む利用者情報を取得し、
前記アーチスト対応利用者特定手段は、前記利用者別アーチスト登録リストに基づいて、選曲された楽曲のアーチストを愛好アーチストとした現にログインしている利用者を特定し、
前記アーチスト関連情報サイト送信手段は、前記アーチスト関連情報サイトリストに基づいて、選曲された楽曲のアーチストのアーチスト関連情報サイトを特定し、当該特定したアーチスト関連情報サイトのアドレス情報を前記アーチスト対応利用者特定手段で特定された利用者の電子メールアドレスに対して送信する、
ことを特徴とするアーチスト情報提供機能を備えるカラオケシステム。
【請求項２】
請求項１記載のアーチスト関連情報提供機能を備えるカラオケシステムであって、前記選曲されてきた楽曲のアーチストが重複されていることを判断し、当該重複されたアーチストを統一して前記アーチスト対応利用者特定手段による利用者特定を行わせる重複アーチスト統一手段を備えることを特徴とするアーチスト関連情報提供機能を備えるカラオケシステム。
【請求項３】
請求項１記載のアーチスト関連情報提供機能を備えるカラオケシステムであって、現にログインしている利用者毎につき、前記選曲されてきた楽曲のアーチストが重複されていることを判断し、当該重複されたアーチストを統一して前記アーチスト対応利用者特定手段による利用者特定を行わせる重複アーチスト統一手段を備えることを特徴とするアーチスト関連情報提供機能を備えるカラオケシステム。
【請求項４】
請求項１〜３の少なくとも何れかに記載のアーチスト関連情報提供機能を備えるカラオケシステムであって、
前記利用者データベースには、利用者毎に、歌唱した楽曲にアーチストＩＤ及び当該楽曲の歌唱度数が関連付けられた歌唱履歴曲目が登録され、
前記愛好アーチスト登録手段は、前記利用者データベースの利用者毎に前記歌唱履歴楽曲のうち、歌唱度数が所定基準値以上の楽曲のアーチストを当該利用者の愛好アーチストとして前記利用者別アーチスト登録リストに自動的に登録することを特徴とするアーチスト関連情報提供機能を備えるカラオケシステム。
【発明の詳細な説明】
【技術分野】
【０００１】
本発明は、所定の利用者が歌唱した楽曲のアーチストに関する情報を提供するアーチスト関連情報提供機能を備えるカラオケシステムに関する。
【背景技術】
【０００２】
近年、カラオケシステムの高機能化に伴い、利用者毎の楽曲や歌唱した楽曲を個別のリストに登録し、当該リストから選曲ができるような機能を備えるものも一般的となってきている。一方、利用者は好みのアーチスト（愛好アーチスト）がいることが多く、当該愛好アーチストの新曲情報やコンサート情報若しくは近況情報などの関連情報に強い関心を持っていることも多いことから、利用者の愛好アーチストに関する情報を得る機会を提供することで利用者へのサービス向上、システム利用の促進を図ることも必要である。
【０００３】
従来、カラオケシステムの利用者へのサービス向上の一手段として、音楽関連情報サイトを利用者に提供する技術が以下の特許文献で提案されている。この特許文献には、音楽関連情報提供サイトのアドレスをカラオケ楽曲の付属情報と関連付けして情報源アドレスデータベースに集約しておき、楽曲の演奏時に、当該楽曲に関連付けされた音楽情報サイトのアドレスを情報源アドレスデータベースより引き出し、当該アドレス情報を近辺に存在する携帯情報端末に発信することが開示されている。
【０００４】
【特許文献１】特開２００３−２４８４９０号公報
【発明の開示】
【発明が解決しようとする課題】
【０００５】
しかしながら、上記特許文献では、演奏された総てのカラオケ楽曲に関する音楽情報のアドレス情報が近辺に存在する携帯情報端末に発信されることになるが、当該携帯情報端末を所持する利用者が総ての音楽情報を欲するとは限らず、不要と察せられる音楽情報のアドレス情報をも受信することとなって効率的でなく、不経済でもあるという問題がある。
【０００６】
そこで、本発明は上記課題に鑑みなされたもので、利用者の愛好するアーチストに関する情報のみを提供可能として利用者の便に資するアーチスト情報提供機能を備えるカラオケシステムを提供することを目的とする。
【課題を解決するための手段】
【０００７】
上記課題を解決するために、請求項１の発明では、所定の利用者が歌唱した楽曲のアーチストに関する情報を提供するアーチスト関連情報提供機能を備えるカラオケシステムであって、利用者データベース、利用者ＩＤ取得部、利用者情報取得手段、アーチスト対応利用者特定手段及びアーチスト関連情報サイト送信手段を有するものであり、前記利用者データベースは、少なくとも、愛好アーチスト登録手段により利用者毎に愛好アーチストが登録された利用者別アーチスト登録リストと、楽曲に附帯されているアーチスト毎に当該アーチストの関連情報が閲覧可能なサイトをリスト化したアーチスト関連情報サイトリストと、利用者毎に当該利用者の所持する携帯情報端末の電子メールアドレスを含む利用者情報とを備え、前記利用者ＩＤ取得部は、ログイン要求の利用者より利用者ＩＤを取得し、前記利用者情報取得手段は、取得した利用者ＩＤに基づいて、前記利用者データベースに登録されている前記電子メールアドレスを含む利用者情報を取得し、前記アーチスト対応利用者特定手段は、前記利用者別アーチスト登録リストに基づいて、選曲された楽曲のアーチストを愛好アーチストとした現にログインしている利用者を特定し、前記アーチスト関連情報サイト送信手段は、前記アーチスト関連情報サイトリストに基づいて、選曲された楽曲のアーチストのアーチスト関連情報サイトを特定し、当該特定したアーチスト関連情報サイトのアドレス情報を前記アーチスト対応利用者特定手段で特定された利用者の電子メールアドレスに対して送信する構成とする。
【０００８】
請求項２〜４の発明では、「前記選曲されてきた楽曲のアーチストが重複されていることを判断し、当該重複されたアーチストを統一して前記アーチスト対応利用者特定手段による利用者特定を行わせる重複アーチスト統一手段を備える」構成であり、
「現にログインしている利用者毎につき、前記選曲されてきた楽曲のアーチストが重複されていることを判断し、当該重複されたアーチストを統一して前記アーチスト対応利用者特定手段による利用者特定を行わせる重複アーチスト統一手段を備える」構成であり、
「前記利用者データベースには、利用者毎に、歌唱した楽曲にアーチストＩＤ及び当該楽曲の歌唱度数が関連付けられた歌唱履歴曲目が登録され、前記愛好アーチスト登録手段は、前記利用者データベースの利用者毎に前記歌唱履歴楽曲のうち、歌唱度数が所定基準値以上の楽曲のアーチストを当該利用者の愛好アーチストとして前記利用者別アーチスト登録リストに自動的に登録する」構成である。
【発明の効果】
【０００９】
本発明によれば、利用者データベースに、利用者毎に愛好アーチストが登録された利用者別アーチスト登録リストと、楽曲に附帯されているアーチスト毎に当該アーチストの関連情報が閲覧可能なサイトをリスト化したアーチスト関連情報サイトリストと、利用者毎に当該利用者の所持する携帯情報端末の電子メールアドレスを含む利用者情報とを登録しておき、選曲楽曲のアーチストを愛好アーチストとして利用者別アーチスト登録リストに登録されている現にログインしている利用者の電子メールアドレスに対し、当該選曲楽曲のアーチストのアーチスト関連情報サイトを送信する構成とすることにより、利用者毎に愛好アーチストが登録されていることから、利用者の愛好するアーチストに関する情報のみを提供可能とすることができ、利用者の便に資することができるものである。
【発明を実施するための最良の形態】
【００１０】
以下、本発明の最良の実施形態を図により説明する。
図１に本発明に係るカラオケシステムの系統構成図を示すと共に、図２に図１の利用者ＤＢの登録内容の説明図を示す。図１（Ａ）は通信ネットワークを使用して本システムを構成させた場合のネットワーク模式図、図１（Ｂ）はホスト装置の概要ブロック構成図である。
【００１１】
図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。また、通信ネットワーク１２には所定数の回線接続基地局１４が接続され、当該回線接続基地局１４を介して利用者の所持する携帯電話やモバイルコンピュータ等の携帯情報端末１５（１５Ａ〜１５Ｎ）に対してカラオケ演奏端末１３（１３Ａ〜１３Ｎ）より少なくとも電子メール発信が可能とされる。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１２】
ホスト装置１１は、図１（Ｂ）に示すように、少なくとも送受信手段２１、制御手段２２、利用者別アーチスト登録リスト抽出手段２３、アーチスト情報サイト更新手段２４及び利用者データベース（ＤＢ）２５備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１３】
上記制御手段２２は、当該ホスト装置１１を統括的に制御するもので、例えば物理的なＣＰＵであり、図示しないＲＯＭに格納されているプログラムのアルゴリズム処理を行う。ここでは、所定のカラオケ演奏端末１３より利用者ＩＤに基づいて利用者情報が要求されたときに、利用者ＤＢ２５より当該利用者ＩＤに関連付けられた利用者情報を当該カラオケ演奏端末１３に送出する。
【００１４】
ここで、上記利用者ＤＢ２５は、少なくとも、利用者情報２５Ａ、アーチスト関連情報サイトリスト２５Ｂ及び利用者別アーチスト登録リスト２５Ｃを備える。利用者情報２５Ａは、図２（Ａ）に示すように、利用者毎に所定の情報が登録されたデータベースであり、例えば氏名、住所、ニックネーム、登録者の顔写真等のイメージファイル名などの利用者基本情報の他に、利用者の所持する携帯情報端末１５の電子メールアドレスが登録されると共に、歌唱履歴曲目が登録される。
【００１５】
上記歌唱履歴曲目は、当該利用者が過去に歌唱した楽曲（楽曲ＩＤ）について、当該歌唱楽曲のアーチスト（歌手）のアーチストＩＤ毎に歌唱した度数及びアーチスト毎の合計度数が登録される。なお、上記楽曲ＩＤによってはアーチストＩＤが内包される場合もあり、当該楽曲ＩＤでアーチストＩＤを特定することができる場合には、特にアーチストＩＤの欄を設ける必要はない。
【００１６】
また、上記アーチスト関連情報サイトリスト２５Ｂは、楽曲に附帯されている、すなわちカラオケ対象の楽曲のうち、任意のアーチストの総ての楽曲につき、そのアーチスト（重複される場合には適宜統一される）のアーチストＩＤに当該アーチストに関する新曲情報やコンサート情報若しくは近況情報などの関連情報が閲覧可能なサイト（ＵＲＬ）が存在する場合、そのサイトアドレス情報が関連付けられている。
【００１７】
そして、上記利用者別アーチスト登録リスト２５Ｃは、利用者毎に愛好アーチストが登録されたリストであり、アーチストＩＤ毎に当該アーチストを愛好アーチストとする利用者ＩＤが関連付けられている。当該利用者別アーチスト登録リスト２５Ｃは、後述の愛好アーチスト自動登録手段２６により自動で登録される場合と、利用者により独自に登録される場合とがある。
【００１８】
上記利用者別アーチスト登録リスト抽出手段２３は、所定のカラオケ演奏端末１３から、利用者ＩＤに基づいて、利用者情報が要求された際に、上記利用者別アーチスト登録リスト２５Ｃから、当該利用者についての登録されているアーチストを抽出して当該カラオケ演奏端末１３に送信するプログラムである。
【００１９】
上記アーチスト情報サイト更新手段２４は、アーチスト毎に、各アーチスト関連情報が閲覧可能なサイトを監視し、当該サイトのＵＲＬ（アドレス情報）に変更があった場合に、アーチスト関連情報サイトリスト２５Ｂの該当アーチストに関して当該新たなＵＲＬに更新するプログラムである。
【００２０】
続いて、図３に、本発明のカラオケシステムにおけるカラオケ演奏端末のブロック構成図を示す。図３において、カラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続される。当該遠隔入出力端末３６は、楽曲検索選曲手段３７、愛好アーチスト登録手段３８、利用者ＩＤ取得部３９及び端末表示部４０を備える。
【００２１】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。
【００２２】
遠隔入出力端末３６は、図示しない端末送受信部により、カラオケ演奏装置３１に対して有線方式ないし無線方式（ＩＲ方式やブルートゥース（登録商標）機構のピコネット接続方式など）を利用してデータ授受を行うためのもので、楽曲検索選曲手段３７、愛好アーチスト登録手段３８、利用者ＩＤ取得部３９及び端末表示部４０を適宜備える。
【００２３】
上記楽曲検索選曲手段３７は、上記ユーザインタフェース機能により利用者に楽曲を検索させ、選曲させるプログラムである。上記愛好アーチスト登録手段３８は、利用者が、上記利用者ＩＤ取得部３９で取得された利用者ＩＤに基づき、好みのアーチストを愛好アーチストとして登録させるためのプログラムである（図５で説明する）。上記利用者ＩＤ取得部３９は、利用者のログイン要求による所持するＩＣカード等が提示された時に、当該ＩＣカード等から利用者ＩＤを取得する電子回路及びプログラムである。なお、利用者ＩＤ取得部３９を、カラオケ演奏装置３１に備えさせてもよい。
【００２４】
上記端末表示部４０は、液晶ディスプレイ（ＬＣＤ）とタッチセンサとを積層して入出力用とし、表示されるアイコン等に対応して当該タッチセンサにより楽曲の選択などのデータを入力することができるＧＵＩのユーザインタフェース機能を有するものである。
【００２５】
上記カラオケ演奏装置３１は、バス４１、中央制御部４２、ＲＯＭ４３、ＲＡＭ４４、楽曲ＤＢ４５Ａ、映像ＤＢ４５Ｂ、アーチスト関連情報サイトリスト４６、再生制御部４７、音楽曲出力部４８、リスト取得手段４９、利用者情報取得手段５０、重複アーチスト統一手段５１Ａを備えるアーチスト対応利用者特定手段５１、アーチスト関連情報サイト送信手段５２、送受信部５３Ａ，５３Ｂ、選曲ログ処理手段５４Ａ及び演奏ログ処理手段５４Ｂを適宜備える。また、ＲＡＭ４４には、利用者別情報記憶部５５、利用者別アーチスト登録リスト５６、予約待ち行列５７、選曲ログ処理手段５８及び演奏ログ記憶部５９の記憶領域が形成される。なお、上記各構成について、本発明の要旨と直接関連しない要素部分であっても、従前のカラオケ装置においても大部分が適用可能であることを示すために、装置全体を説明する。
【００２６】
上記中央制御部４２は、このシステムを統括的に処理制御する物理的なＣＰＵであり、ＲＯＭ４３に記憶されているプログラムに基づくアルゴリズム処理を行う。上記ＲＡＭ４４は、後述する利用者別情報記憶部５５、利用者別アーチスト登録リスト５６、予約待ち行列５７、選曲ログ処理手段５８及び演奏ログ記憶部５９の記憶領域が形成される他に、上記種々のプログラムを展開、実行させるための作業領域としての役割をなすもので、例えば半導体メモリで構成され、仮想的にハードディスク上に構築される場合をも含む概念である。
【００２７】
上記楽曲ＤＢ４５Ａは、楽曲ＩＤ、曲名及びアーチストＩＤ（アーチスト名）が関連付けられた楽曲テーブルを有し、楽曲ＩＤで管理される所定データ形式のカラオケ楽曲の演奏データ（ＭＩＤＩデータ）及び歌詞テロップデータが同期されて構成される楽曲データ（ファイル）について楽曲コードをファイル名としてそれぞれ格納したデータベースであり、映像ＤＢ４５Ｂに格納された当該楽曲毎の背景映像を表示するための所定数のシーン映像を割り当てる割当データが関連付けられる。当該映像ＤＢ４５Ｂは、背景映像表示のための所定数のシーン映像データを所定数格納するデータベースである。なお、この楽曲ＤＢ４５Ａ及び映像ＤＢ４５Ｂを、カラオケ演奏装置３１ではなく、上記ホスト装置１１に備えさせることとしてもよい。
【００２８】
上記アーチスト関連情報サイトリスト４６は、上記ホスト装置１１の利用者ＤＢ２５に登録されているアーチスト関連情報サイトリスト２５Ｂを記憶しておくものであり、楽曲データや映像データの更新と共に、定期的に当該ホスト装置１１より送られてくるものである。上記再生制御部４７は、演奏時に、映像ＤＢ４５Ｂより抽出された所定数のシーン映像データ及び楽曲コードで楽曲ＤＢ４５Ａより抽出された歌詞テロップデータ（歌詞文字データ）を当該楽曲の演奏データに同期させて表示部３２に出力する電子回路である。上記音楽曲出力部４８は、楽曲コードで楽曲ＤＢ４５Ａより抽出された演奏データをデジタル再生し、アナログ変換してミキシングアンプ３３に出力する電子回路である。
【００２９】
上記リスト取得手段４９は、例えばカラオケ演奏端末１３に利用者がログインしたときに、ホスト装置１１の利用者ＤＢ２５より利用者別アーチスト登録リスト２５Ｃのうち、上記利用者別アーチスト登録リスト抽出手段２３によって抽出された当該利用者（利用者ＩＤ）の利用者別アーチスト登録リストを取得し、ＲＡＭ４４に利用者別アーチスト登録リスト５６として記憶するプログラムである。
【００３０】
上記利用者情報取得手段５０は、利用者ＩＤ取得部３９で取得した利用者ＩＤに基づいて、ホスト装置１１の利用者ＤＢ２５に登録されている図２（Ａ）に示す対応の利用者情報２５Ａを、電子メールアドレスを含んで取得し、ＲＡＭ４４の利用者別情報記憶部５５に記憶するプログラムである。
【００３１】
上記アーチスト対応利用者特定手段５１は、ＲＡＭ４４の利用者別アーチスト登録リスト５６に基づいて、選曲された楽曲のアーチストを愛好アーチストとした現にログインしている利用者を特定するプログラムである。また、アーチスト対応利用者特定手段５１の備える重複アーチスト統一手段５１Ａは、選曲された楽曲のアーチストが重複されていることを判断し、当該重複されたアーチストを統一して当該アーチスト対応利用者特定手段５１による利用者特定を行わせるプログラムである。
【００３２】
上記アーチスト関連情報サイト送信手段５２は、後述の選曲ログ記憶部５８に記憶された選曲情報を参照して、アーチスト関連情報サイトリスト４６に基づいて、歌唱された楽曲の適宜重複アーチスト統一手段５１Ａで統一されたアーチストのアーチスト関連情報サイトを特定し、当該特定したアーチスト関連情報サイトのアドレス情報を上記アーチスト対応利用者特定手段５１で特定された利用者の電子メールアドレスを利用者別情報記憶部５５より抽出して対して送信するプログラムである。
【００３３】
上記アーチスト関連情報サイト送信手段５２による送信のタイミングは、選曲時、演奏開始時、演奏中、演奏終了後、ログアウト後の何れかを適宜設定することができるが、ここではログアウト後として説明する。当該ログアウト後とすることにより、重複アーチスト統一手段５１Ａによる重複アーチストの統一が図られることから特に効率的、経済的となる。また、重複アーチスト統一手段５１Ａは、選曲時、演奏開始時、演奏中、演奏終了後の送信タイミングであっても、それまでに選曲されたアーチストの重複に対して統一することで重複送信を回避させることができるものである（図１０で説明する）。
【００３４】
上記送受信部５３Ａは、遠隔入出力端末３６との間で有線方式ないし無線方式（ＩＲ方式やブルートゥース（登録商標）機構のピコネット接続方式など）を利用してデータ授受を行うためのもので、そのための電子回路及びプログラムである。上記送受信部５３Ｂは、上記ホスト装置１１及び回線接続基地局１４と上記通信ネットワーク１２を介してデータ授受を行うためのもので、通信方式と整合性をとるための例えば物理的な通信用回路やプラットフォーム等のソフトウエアにより構成されるものである。また、遠隔入出力端末３６は、送受信部５３Ａ，５３Ｂを介してホスト装置１１と通信可能とされる。
【００３５】
上記選曲ログ処理手段５４Ａは、例えば利用者が当該日に選曲した楽曲（楽曲ＩＤ）のアーチストＩＤを選曲ログとしてＲＡＭ４４の選曲ログ記憶部５８に記憶するプログラムである。上記演奏ログ処理手段５４Ｂは、歌唱された楽曲（楽曲ＩＤ）にアーチストＩＤを関連付けてＲＡＭ４４の演奏ログ記憶部５９に記憶して、例えばログアウト時に歌唱された演奏ログ情報に基づき楽曲毎（アーチスト毎）の歌唱度数を更新してホスト装置１１に送信し、利用者ＤＢ２５における対応利用者の歌唱履歴曲目を更新登録させるプログラムである。
【００３６】
なお、ＲＡＭ４４に形成される予約待ち行列５７は、遠隔入出力端末３６で選曲された楽曲ＩＤが送受信部５３Ａを介して送信されてきたときに、中央制御部４２が当該送信されてきた利用者ＩＤの附帯された楽曲ＩＤを予約順に記憶させていくデータ記憶領域である。当該予約待ち行列５７への記憶と同時に当該楽曲のアートスト（アーチストＩＤ）が選曲ログ記憶部５８に選曲ログとして記憶される。そして、予約待ち行列５７に順次記憶された楽曲が順次演奏されるものである。
【００３７】
また、図示しないが、当該カラオケ演奏装置３１には、利用者が楽曲番号を直接入力したり、演奏楽曲のテンポや、歌唱音声に対する種々の調節を行うためのボタンやツマミ類が可変抵抗器等の電子素子に直結された操作パネルも接続される。ところで、カラオケ演奏端末１３をスタンドアローンのカラオケシステムとして適用させる場合には上記ホスト装置１１の愛好アーチスト自動登録手段２６、アーチスト情報サイト更新手段２４及び利用者ＤＢ２５を備えさせる構成とすることにより実現することができるものである。
【００３８】
ここで、図４に、図３におけるカラオケ演奏装置における利用者別アーチストの登録の説明図を示す。図４において、利用者による設定登録は、遠隔入出力端末３６において、例えば、所定の利用者が利用者名（利用者ＩＤ）を明示して、図５（Ａ）に示すような「楽曲検索」、「愛好アーチストの登録」、「歌唱履歴曲目の表示」などのメニュー表示より、「愛好アーチストの登録」を選択すると、愛好アーチスト登録手段３８が実行されて図４（Ｂ）に示すような愛好アーチストの登録画面が端末表示部６６に表示される。
【００３９】
当該画面において、アーチスト名を入力させ（若しくは選択的画面でもよい）、登録ボタンの選択によりホスト装置１１の利用者ＤＢ２５の利用者別アーチスト登録リスト２５Ｃに登録される。また、既に登録されている愛好アーチストに対して取消ボタンを選択した場合には当該利用者別アーチスト登録リスト２５Ｃから対応アーチストに対する利用者ＩＤが取り消されるものである。
【００４０】
そこで、図５に図３におけるアーチスト関連情報提供の処理フローチャートを示すと共に、図６に図３における演奏ログ送信の処理フローチャートを示し、また、図７に図５の楽曲選曲の説明図、図８に図５のアーチスト関連情報提供の説明図を示す。図５において、まず、遠隔入出力端末３６で所定の利用者から、例えば図４（Ａ）のメニューより「楽曲検索」が選択されて楽曲検索の要求があると（ステップ（Ｓ）１）、楽曲検索選曲手段３７が実行されて検索画面を表示させる（Ｓ２）。
【００４１】
当該利用者が、例えば図７に示すように所定の楽曲が検索された選曲画面で「転送」が選択されると（Ｓ３）、選曲された楽曲の曲名（楽曲ＩＤ）及び歌手名（アーチストＩＤ）がカラオケ演奏装置３１に送信されて、ＲＡＭ４４の予約待ち行列５７に登録すると共に、選曲ログ処理手段５４Ａが当該楽曲のアーチストＩＤを選曲ログとして選曲ログ記憶部５８に記憶する（Ｓ４）。
【００４２】
その後、利用者全員がログアウトすると（Ｓ１５）、重複アーチスト統一手段５１Ａが選曲ログ記憶部５８の選曲ログを参照して記憶されたアーチストが重複しているか否かが判断され（Ｓ６）、重複されている場合には（Ｓ７）、重複したアーチストを統一してこれを含む総てのアーチストＩＤを特定する（Ｓ８）。
【００４３】
続いて、アーチストが重複されていない場合（Ｓ７）や重複アーチスト統一手段５１Ａで統一されたアーチストを含む総てのアーチストＩＤについて、利用者別アーチスト登録リスト５６を参照して、各アーチストＩＤを登録した利用者ＩＤを特定する（Ｓ９）。
【００４４】
そして、アーチスト関連情報サイト送信手段５２が、選曲された各アーチストＩＤについてアーチスト関連情報サイトリスト４６よりサイトＵＲＬを抽出すると共に、特定された利用者の電子メール送り先のアドレスをＲＡＭ４４の利用者別情報記憶部５５より抽出し、特定された夫々の利用者の電子メールアドレスに、当該利用者が登録したアーチスト（アーチストＩＤ）の関連情報が閲覧できるサイトＵＲＬを表示させた電子メールを作成して送信する（Ｓ１０）。
【００４５】
例えば、図２（Ｃ）のアーチストａ〜アーチストｇが特定されて送信されたとすると、図８に示すように、利用者Ａ〜利用者Ｃの各携帯情報端末１５Ａ〜１５Ｃの夫々に愛好アーチストとして登録した当該アーチスト関連情報サイトが表示されるものである。
【００４６】
続いて、図６において、予約待ち行列５７にしたがって予約登録された楽曲が順次演奏され（Ｓ１１）、演奏が終了すると（Ｓ１２）、演奏処理手段５４Ｂが利用者ＩＤに歌唱（演奏）された楽曲のアーチストＩＤ及び当該楽曲の楽曲ＩＤを関連付けて演奏ログ記憶部５９に記憶する（Ｓ１３）。
【００４７】
その後、ログイン中の所定の利用者がログアウトすると（Ｓ１４）、演奏ログ処理手段が、演奏ログ記憶部のログアウトした利用者の利用者ＩＤに、歌唱（演奏）された楽曲のアーチストＩＤ、当該楽曲の楽曲ＩＤに関連付けると共に、歌唱度数を更新して当該更新した歌唱度数を関連付けてホスト装置１１に送信して利用者ＤＢ２５の対応の利用者の歌唱履歴を更新させるものである（Ｓ１７）。
【００４８】
次に、図９に、図１におけるホスト装置における利用者別アーチスト登録リストの自動登録の説明図を示す。図９（Ａ）において、ホスト装置１１に愛好アーチスト登録手段としての愛好アーチスト自動登録手段２６が備えられたものである。当該愛好アーチスト自動登録手段２６は、利用者毎に、上記歌唱履歴楽曲のうち、歌唱度数が所定基準値以上の楽曲のアーチストを当該利用者の愛好アーチストとして上記利用者別アーチスト登録リスト２５Ｃに自動的に登録するプログラムである。
【００４９】
当該愛好アーチスト自動登録手段２６は、カラオケ演奏端末３１（カラオケ演奏装置３１若しくは遠隔入出力端末３６）に備えることとしてもよい。例えば、利用者ＤＢ２５よりログインした利用者ＩＤに対応する歌唱履歴曲目を取得し、歌唱履歴曲目の情報に当該日の歌唱履歴を反映させて利用者別アーチスト登録リスト２５Ｃの対応する利用者を付加し、若しくは更新して利用者ＤＢ２５に更新登録させるものである。
【００５０】
一例として、利用者Ａ（利用者ＩＤ：＊＊＊＊＊＊＊Ａ）と利用者Ｂ（利用者ＩＤ：＊＊＊＊＊＊＊Ｂ）について、各パーソナル曲目ファイルの歌唱履歴曲目のうち、歌唱度数が所定基準値（ここでは１００とする）以上の楽曲ＩＤが抽出され、これら楽曲ＩＤに関連付けられているアーチストＩＤが特定される。例えば、図９（Ｂ）に示すように、利用者Ａでは、歌唱履歴曲目のうちの歌唱度数が１００以上の楽曲ＩＤ（ａ＊＊＊−＊＊，ｃ＊＊＊−＊＊，ｄ＊＊＊−＊＊）が抽出され、これら抽出された楽曲ＩＤに関連付けられているアーチストＩＤ（＊＊＊ａ，＊＊＊ｃ，＊＊＊ｄ）が特定されて当該アーチストＩＤを愛好アーチストとさせる当該利用者ＩＤ（利用者Ａ）が利用者別アーチスト登録リスト２５Ｃに登録される。
【００５１】
また、利用者Ｂでは、歌唱履歴曲目のうちの歌唱度数が１００以上の楽曲ＩＤ（ｍ＊＊＊−＊＊，ｎ＊＊＊−＊＊）が抽出され、これら抽出された楽曲ＩＤに関連付けられているアーチストＩＤ（＊＊＊ｍ，＊＊＊ｎ）が特定されて当該アーチストＩＤを愛好アーチストとさせる当該利用者ＩＤ（利用者Ｂ）が利用者別アーチスト登録リスト２５Ｃに登録されるものである。
【００５２】
次に、図１０に、図３における重複アーチスト統一手段の他の処理の説明図を示す。図１０（Ａ）において、アーチスト対応利用者特定手段５１の備える重複アーチスト統一手段５１Ａは、現にログインしている利用者毎につき、選曲ログ記憶部５８の選曲されてきた楽曲のアーチストが重複されていることを判断し、当該重複されたアーチストを統一してアーチスト対応利用者特定手段５１による利用者特定を行わせるもので、ＲＡＭ４４にアーチスト関連アドレス情報送信履歴記憶部６１の記憶領域を形成させたものである。このアーチスト関連アドレス情報送信履歴は、例えばアーチスト対応利用者特定手段５１が作成し、アーチスト関連情報サイト送信手段５２による送信履歴が反映される。特に、アーチスト関連情報のアドレス情報を、選曲後、演奏開始時、演奏中、演奏終了後に送信させる場合に有効となる。
【００５３】
例えば、図１０（Ｂ）に示すように、ＲＡＭ４４のアーチスト関連アドレス情報送信履歴記憶部６１における選曲された楽曲のアーチストに対して、現にログインしている利用者（利用者ＩＤ）につき、利用者別アーチスト登録リスト５６により当該アーチストを愛好アーチストとした利用者（利用者ＩＤ）を特定して第１フラグ（例えば「○」）を立て、当該利用者ＩＤに当該アーチストの関連情報のアドレス情報をアーチスト関連情報サイト送信手段５２で送信した場合に第２フラグ（例えば「●」）を立てるものである。
【００５４】
そうすると、後でログインした利用者（図１０（Ｂ）の利用者Ｂ）に対して、既に利用者Ａや利用者Ｃに対してアーチストａについての送信が完了しても、利用者Ｂのログイン後にアーチストａが選曲された場合には、利用者Ａ及び利用者Ｃにはサイトのアドレス情報の送信が行われず、利用者Ｃに対して当該アーチストａの関連情報のアドレス情報が送信されることとなるものである。
【００５５】
なお、本発明は上記した他、同一アーチスト関連情報のアドレス情報を同一の利用者に重複送信させない手法として、上記利用者別アーチスト登録リスト５６を、現にログインしている利用者のみのレコードを切り出し、その愛好アーチストを記載してなる「部分登録リスト」とし、当該利用者のログアウト後に、上述した第１フラグ（例えば「○」）情報と第２のフラグ（例えば「●」）情報を、ホスト装置１１における利用者別アーチスト登録リスト２５Ｃにアップロードし、当該ホスト装置１１の登録リストも同様な構成（第１・第２フラグを有する構成）とすることにより、第２フラグが立った場合、アーチスト関連情報サイトリストにおいて、そのアーチストに関連するサイトアドレス情報の変更や追加がない限り、当該利用者のそれ以降のログイン時には、アーチスト対応利用者特定手段５１が、当該利用者を特定しないように制御してもよい。このように構成することにより、一度サイトアドレス情報を受信した利用者は、その後、ホスト装置１１に接続された何れのカラオケ演奏端末１３からも同じサイトアドレス情報を重複受信されないようにすることができるものである。
【００５６】
このように、利用者毎に愛好アーチストが登録されていることから、選曲された総てのアーチスト関連情報サイトのアドレス情報送信が回避されて、利用者の愛好するアーチストに関する情報のみを提供可能とすることができ、利用者の便に資することができるものである。
【産業上の利用可能性】
【００５７】
本発明のアーチスト情報提供機能を備えるカラオケシステムは、カラオケの基本的機能を備えるカラオケ装置の分野に利用可能である。
【図面の簡単な説明】
【００５８】
【図１】本発明に係るカラオケシステムの系統構成図である。
【図２】図１の利用者ＤＢの登録内容の説明図である。
【図３】本発明のカラオケシステムにおけるカラオケ演奏端末のブロック構成図である。
【図４】図３におけるカラオケ演奏装置における利用者別アーチストの登録の説明図である。
【図５】図３におけるアーチスト関連情報提供の処理フローチャートである。
【図６】図３における演奏ログ送信の処理フローチャートである。
【図７】図５の楽曲選曲の説明図である。
【図８】図５のアーチスト関連情報提供の説明図である。
【図９】図１におけるホスト装置における利用者別アーチスト登録リストの自動登録の説明図である。
【図１０】図３における重複アーチスト統一手段の他の処理の説明図である。
【符号の説明】
【００５９】
１１            ホスト装置
１３            カラオケ演奏端末
２５            利用者ＤＢ
２６            愛好アーチスト自動登録手段
３１            カラオケ演奏装置
３６            遠隔入出力端末
３７            楽曲検索選曲手段
３８            愛好アーチスト登録手段
４６            アーチスト関連情報サイトリスト
４９            リスト取得手段
５０            利用者情報取得手段
５１            アーチスト対応利用者特定手段
５１Ａ          重複判定手段
５２            アーチスト関連情報サイト送信手段
５４Ａ          選曲ログ処理手段
５４Ｂ          演奏ログ処理手段
５５            利用者別情報記憶部
５６            利用者別アーチスト登録リスト
５８            選曲ログ記憶部
５９            演奏ログ記憶部
６１            アーチスト関連アドレス情報送信履歴記憶部
【図１】
2009210663.tif 000003
【図２】
2009210663.tif 000004
【図３】
2009210663.tif 000005
【図４】
2009210663.tif 000006
【図５】
2009210663.tif 000007
【図６】
2009210663.tif 000008
【図７】
2009210663.tif 000009
【図８】
2009210663.tif 000010
【図９】
2009210663.tif 000011
【図１０】
2009210663.tif 000012